(57)【要約】  レーザ光を出射する半導体レーザ素子と、前記半導体レーザ素子から出射されるレーザ光が入射され、該レーザ光を導波する光ファイバと、前記光ファイバを固定するための固定剤を有し、前記光ファイバを保持する光ファイバ保持部と、を備え、前記固定剤は、前記光ファイバに入射された後に該光ファイバの外部に放出される漏れ光の強度が低い領域に設けられている半導体レーザモジュール。これにより、高出力動作時においても信頼性の高い半導体レーザモジュールが提供される。
2014192944.tif 000002
【特許請求の範囲】
【請求項１】
レーザ光を出射する半導体レーザ素子と、
前記半導体レーザ素子から出射されるレーザ光が入射し、該レーザ光を導波する光ファイバと、
前記光ファイバを固定するための固定剤を有し、前記光ファイバを保持する光ファイバ保持部と、
を備え、
前記固定剤は、前記光ファイバに入射した前記レーザ光のうち、入射された後に該光ファイバの外部に放出される漏れ光の強度が低い領域に設けられていることを特徴とする半導体レーザモジュール。
【請求項２】
前記半導体レーザ素子から出射されるレーザ光の出力は１０Ｗ以上であり、前記固定剤が設けられる領域における前記漏れ光の強度は、前記レーザ光と直交する面内において１３０Ｗ／ｍｍ２より小さいことを特徴とする請求項１に記載の半導体レーザモジュール。
【請求項３】
前記漏れ光の強度が低い領域は、前記光ファイバに入射する前記レーザ光のフィールドにおける最も直径が長くなる方向において、前記光ファイバの前記レーザ光入射側の端部の断面中心から、前記光ファイバの中心軸に対して１５°以上の角度を成す外側固定領域と、前記光ファイバへ入射する前記レーザ光の前記光ファイバの中心軸に対する入射角をθｉｎとしたとき、前記光ファイバの中心軸に対して−１．１５θｉｎ＋１２．５°以下の角度を成す内側固定領域とを含み、
前記固定剤は、前記外側固定領域および前記内側固定領域の少なくとも一方に設けられていることを特徴とする請求項１または２に記載の半導体レーザモジュール。
【請求項４】
前記光ファイバ保持部は、前記光ファイバを挿通して保持する保持部材を備え、
前記光ファイバと前記保持部材とは、前記固定剤で固定され、
前記漏れ光の強度が低い領域は、前記光ファイバに入射する光のフィールドにおける最も直径が長くなる方向において、前記光ファイバへ入射する前記レーザ光の前記光ファイバの中心軸に対する入射角をθｉｎとしたとき、前記光ファイバの前記レーザ光入射側の端部の断面中心から、前記光ファイバの中心軸に対して−１．１５θｉｎ＋１２．５°以下の角度を成す内側固定領域であり、
前記固定剤は、前記内側固定領域に設けられ、
前記保持部材の前記レーザ光入射側の端部は、前記光ファイバに入射する前記レーザ光のフィールドにおける最も直径が長くなる方向において、前記光ファイバの前記レーザ光入射側の端部の断面中心から、前記光ファイバの中心軸に対して−１．１５θｉｎ＋１２．５°より大きく、１５°未満の角度を成す漏れ光通過領域を通過する光を反射するように構成されていることを特徴とする請求項１または２に記載の半導体レーザモジュール。
【請求項５】
前記保持部材は、前記レーザ光入射側の端面が曲面、または、前記光ファイバの中心軸に対して傾斜する傾斜面となっていることを特徴とする請求項４に記載の半導体レーザモジュール。
【請求項６】
前記保持部材は、前記レーザ光の波長において、吸収率が３０％以下の材料からなることを特徴とする請求項４または５に記載の半導体レーザモジュール。
【請求項７】
前記保持部材は、金属、または、セラミックからなることを特徴とする請求項４〜６のいずれか１つに記載の半導体レーザモジュール。
【請求項８】
前記保持部材は、前記レーザ光入射側の端部に、前記レーザ光の波長において反射率が７０％以上の反射膜を備えることを特徴とする請求項４または５に記載の半導体レーザモジュール。
【請求項９】
前記光ファイバ保持部は、前記光ファイバを挿通して保持する保持部材と、前記保持部材が固定される台座と、を備え、
前記光ファイバと前記保持部材とは、前記固定剤で固定され、
前記漏れ光の強度が低い領域は、前記光ファイバに入射する前記レーザ光のフィールドにおける最も直径が長くなる方向において、前記光ファイバへ入射する前記レーザ光の前記光ファイバの中心軸に対する入射角をθｉｎとしたとき、前記光ファイバの前記レーザ光入射側の端部の断面中心から、光ファイバの中心軸に対して−１．１５θｉｎ＋１２．５°以下の角度を成す内側固定領域であり、
前記固定剤は、前記内側固定領域に設けられ、
前記保持部材は、前記光ファイバに入射する光のフィールドにおける最も直径が長くなる方向において、前記光ファイバの前記レーザ光入射側の端部の断面中心から、前記光ファイバの中心軸に対して−１．１５θｉｎ＋１２．５°より大きく、１５°未満の角度を成す漏れ光通過領域を通過する光を透過し、
前記保持部材と前記台座とは、前記漏れ光通過領域の光の通過経路を除く領域である前記漏れ光の強度が低い領域において前記固定剤で固定されていることを特徴とする請求項１または２に記載の半導体レーザモジュール。
【請求項１０】
前記保持部材は、ガラスからなることを特徴とする請求項９に記載の半導体レーザモジュール。
【請求項１１】
前記光ファイバ保持部は、前記光ファイバの導波方向に沿って伸びる溝を有する台座を備え、前記光ファイバは前記固定剤により前記溝内に固定されていることを特徴とする請求項１〜３のいずれか１に記載の半導体レーザモジュール。
【請求項１２】
前記溝は、前記内側固定領域内に形成されていることを特徴とする請求項１１に記載の半導体レーザモジュール。
【請求項１３】
前記固定剤と前記光ファイバとが離間していることを特徴とする請求項１〜３のいずれか１つに記載の半導体レーザモジュール。
【請求項１４】
前記固定剤は、有機接着剤、はんだ、低融点ガラス、無機接着剤のうち、いずれか１つからなることを特徴とする請求項１〜１３のいずれか１つに記載の半導体レーザモジュール。
【請求項１５】
前記光ファイバが、マルチモード光ファイバであることを特徴とする請求項１〜１４のいずれか１つに記載の半導体レーザモジュール。
【発明の詳細な説明】
【技術分野】
【０００１】
本発明は、半導体レーザモジュールに関するものである。
【背景技術】
【０００２】
従来、光ファイバからレーザ光を出力する半導体レーザモジュールにおいて、半導体レーザ素子から出射されるレーザ光を、レンズ等の集光部によって集光し、集光部によって集光されたレーザ光を光ファイバに結合する構成が知られている（例えば特許文献１参照）。【０００３】
この場合、光ファイバは、ＵＶ硬化樹脂や熱硬化樹脂等の有機接着剤、または、ＹＡＧレーザや電熱ヒーターによって溶融させたはんだや低融点ガラス、無機接着剤等の固定剤によって、光ファイバ保持部等の上に固定されている（例えば特許文献２参照）。
【先行技術文献】
【特許文献】
【０００４】
【特許文献１】特開２００４−９６０８８号公報
【特許文献２】特開２００７−２５８４８０号公報
【発明の概要】
【発明が解決しようとする課題】
【０００５】
ところが、半導体レーザ素子から出射されたレーザ光を光ファイバに結合しようとする場合、レーザ光を光ファイバに１００％結合することは困難であるため、光ファイバに結合しない非結合光が発生する。この非結合光は、光ファイバを固定している固定剤に照射される場合がある。【０００６】
ここで、レーザ加工の分野や医療分野で使用される半導体レーザモジュールは、半導体レーザ素子から出射されるレーザ光の強度が非常に大きいので、非結合光の強度も大きくなる。例えば、半導体レーザ素子から出射されたレーザ光の光ファイバへの結合効率が８５％の場合、光ファイバからの光出力強度として５６Ｗを得ようとすると、１０Ｗ程度の非結合光が発生することとなる。このように強度が大きい非結合光が固定剤に照射されると、固定剤が溶融または破損する場合がある。【０００７】
このように固定剤が溶融または破損すると、光ファイバはその固定位置からずれてしまうおそれがある。この場合、最初に光ファイバが半導体レーザ素子との結合効率が最大の位置になるように固定されていたとしても、固定剤の溶融または破損により結合ロスが増大するため、半導体レーザモジュールの信頼性が低下するおそれがある。【０００８】
本発明は、上記に鑑みてなされたものであって、高出力動作時においても信頼性の高い半導体レーザモジュールを提供することを目的とする。
【課題を解決するための手段】
【０００９】
上述した課題を解決し、目的を達成するために、本発明の一態様に係る半導体レーザモジュールは、レーザ光を出射する半導体レーザ素子と、前記半導体レーザ素子から出射されるレーザ光が入射され、該レーザ光を導波する光ファイバと、前記光ファイバを固定するための固定剤を有し、前記光ファイバを保持する光ファイバ保持部と、を備え、前記固定剤は、前記光ファイバに入射された後に該光ファイバの外部に放出される漏れ光の強度が低い領域に設けられていることを特徴とする。
【発明の効果】
【００１０】
本発明によれば、高出力動作時においても信頼性の高い半導体レーザモジュールを実現することができる。
【図面の簡単な説明】
【００１１】
【図１】図１は、本発明の実施の形態１に係る半導体レーザモジュールの模式的な平面図である。
【図２】図２は、図１に示す半導体レーザモジュールの模式的な一部切欠図である。
【図３】図３は、図１に示す半導体レーザモジュールの光ファイバ保持部を拡大した模式的なｘ−ｚ平面図である。
【図４】図４は、図１に示す半導体レーザモジュールの光ファイバ保持部を拡大した模式的なｙ−ｚ平面図である。
【図５】図５は、レーザ光が光ファイバに結合される際に発生する漏れ光について説明するための説明図である。
【図６】図６は、図１に示す半導体レーザモジュールの光ファイバ保持部における漏れ光を示す図である。
【図７】図７は、フェルールの変形例を示す図である。
【図８】図８は、実験用の半導体レーザモジュールを説明する図である。
【図９】図９は、駆動電流と、結合効率および固定剤の温度との関係を表す図である。
【図１０】図１０は、光ファイバのレンズ側の先端から３ｍｍの位置における漏れ光の強度分布をシミュレーションした結果を表す模式図である。
【図１１】図１１は、図９のＡ−Ａ線断面における光強度を表す図である。
【図１２】図１２は、漏れ光が通過する領域を測定する方法を説明するための図である。
【図１３】図１３は、漏れ光が通過する領域を測定した結果を表す図である。
【図１４】図１４は、漏れ光が放射される領域を説明するための説明図である。
【図１５Ａ】図１５Ａは、光ファイバ保持部の変形例１の模式的なｘ−ｚ平面図である。
【図１５Ｂ】図１５Ｂは、台座の変形例を示す図である。
【図１５Ｃ】図１５Ｃは、台座の変形例を示す図である。
【図１５Ｄ】図１５Ｄは、台座の変形例を示す図である。
【図１６】図１６は、本発明の実施の形態２に係る半導体レーザモジュールの模式的な平面図である。
【図１７】図１７は、図１６に示す半導体レーザモジュールの模式的な一部切欠図である。
【図１８】図１８は、変形例２に係る光ファイバ保持部の模式的なｘ−ｚ平面図である。
【図１９】図１９は、変形例３に係る光ファイバ保持部の模式的なｘ−ｚ平面図である。
【図２０】図２０は、変形例４に係る光ファイバ保持部の模式的なｙ−ｚ平面図である。
【図２１】図２１は、変形例４に係る光ファイバ保持部の模式的なｙ−ｚ断面図である。
【図２２】図２２は、本発明の実施の形態３に係る半導体レーザモジュールの模式的な平面図である。
【図２３】図２３は、図２２に示す半導体レーザモジュールの模式的な一部切欠図である。
【図２４】図２４は、図２２に示す光ファイバ保持部のＢ−Ｂ線断面図である。
【図２５】図２５は、変形例５に係る光ファイバ保持部の模式的なｙ−ｚ断面図である。
【図２６】図２６は、変形例６に係る光ファイバ保持部の模式的なｘ−ｙ断面図である。
【図２７】図２７は、変形例６に係る光ファイバ保持部の模式的なｘ−ｚ平面図である。
【図２８】図２８は、変形例７に係る光ファイバ保持部の模式的なｘ−ｙ断面図である。
【図２９】図２９は、変形例８に係る光ファイバ保持部の模式的なｘ−ｙ断面図である。
【図３０】図３０は、変形例９に係る光ファイバ保持部の模式的なｘ−ｙ断面図である。
【図３１】図３１は、変形例９に係る光ファイバ保持部の模式的なｘ−ｚ平面図である。
【発明を実施するための形態】
【００１２】
以下に、図面を参照して本発明に係る半導体レーザモジュールの実施の形態を説明する。なお、この実施の形態によりこの発明が限定されるものではない。また、図面の記載において、同一または対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１３】
（実施の形態１）
まず、本発明の実施の形態１に係る半導体レーザモジュールについて説明する。図１は、本発明の実施の形態１に係る半導体レーザモジュールの模式的な平面図である。また、図２は、図１に示す半導体レーザモジュールの模式的な一部切欠図である。なお、以下の各図において、光ファイバの導波方向をｚ方向とし、ｚ方向に直交する方向のうち水平方向をｘ方向、鉛直方向をｙ方向とし、各方向は適宜各図に記載した。また、図１、２では、パッケージの上蓋は図示を省略している。図１、２に示すように、半導体レーザモジュール１００は、パッケージ１０１内に、ＬＤ高さ調整板１０２、サブマウント１０３−１〜１０３−６、半導体レーザ素子１０４−１〜１０４−６が、この順に積載され、固定されている。また、半導体レーザモジュール１００には、リードピン１０５が接続されている。また、半導体レーザ素子１０４−１〜１０４−６に対応して、第１レンズ１０６−１〜１０６−６、第２レンズ１０７−１〜１０７−６、ミラー１５０−１〜１５０−６が−ｘ方向に沿ってこの順番で配置されている。また、パッケージ１０１内には、ｚ方向に沿って、フィルタ１０８、第３レンズ１０９、光ファイバ保持部１１１がこの順番で配置されている。光ファイバ保持部１１１には光ファイバ１１２が固定されている。この光ファイバ１１２はパッケージ１０１の外部に伸びている。
【００１４】
ＬＤ高さ調整板１０２は、パッケージ１０１内に固定されおり、図２に示すように段差が形成されている。サブマウント１０３−１〜１０３−６は、ＬＤ高さ調整板１０２上に固定され、それぞれ半導体レーザ素子１０４−１〜１０４−６を載置するとともに、載置された半導体レーザ素子１０４−１〜１０４−６の放熱を補助する。半導体レーザ素子１０４−１〜１０４−６は、例えば波長が９００ｎｍ〜１０００ｎｍのレーザ光を出射する。半導体レーザ素子１０４−１〜１０４−６は、出射するレーザ光の強度が１Ｗ以上であり、さらには例えば１０Ｗ以上の高出力な半導体レーザ素子である。リードピン１０５は、半導体レーザ素子１０４−１〜１０４−６に対して、電圧を印加し、電流を注入する。印加する電圧は一定でもよく、変調電圧でもよい。
【００１５】
半導体レーザ素子１０４−１〜１０４−６は、ＬＤ高さ調整板１０２の段差によって互いに高さが異なるように配置されている。また、第１レンズ１０６−１〜１０６−６、第２レンズ１０７−１〜１０７−６、ミラー１５０−１〜１５０−６は、それぞれ対応する１つの半導体レーザ素子と同じ段差上に配置されている。
【００１６】
第１レンズ１０６−１〜１０６−６は光をｙ方向に集光するシリンドリカルレンズであって、その焦点距離は、例えば０．３ｍｍである。第２レンズ１０７−１〜１０７−６は、第１レンズ１０６−１〜１０６−６とは直交する方向であるｘ方向に光を集光するシリンドリカルレンズであって、その焦点距離は、例えば１０．５ｍｍである。第１レンズ１０６−１〜１０６−６および第２レンズ１０７−１〜１０７−６は半導体レーザ素子１０４−１〜１０４−６が出射したレーザ光をそれぞれ集光する。ミラー１５０−１〜１５０−６は、第１レンズ１０６−１〜１０６−６および第２レンズ１０７−１〜１０７−６により集光されたレーザ光をフィルタ１０８側に反射する。
【００１７】
フィルタ１０８は、半導体レーザ素子１０４−１〜１０４−６が出射するレーザ光に対応して９００ｎｍ〜１０００ｎｍの波長の光を透過し、外部から入射する余分な光、たとえば波長１０６０ｎｍ〜１０８０ｎｍの光を反射するローパスフィルタである。第３レンズ１０９は、透過されたレーザ光を光ファイバ１１２の端面に集光し、光ファイバ１１２に結合させる。第３レンズ１０９の焦点距離は、例えば１０ｍｍである。光ファイバ１１２は、レーザ光が入射され、該レーザ光を導波する。光ファイバ１１２は、例えば、コア径が１０５μｍのマルチモード光ファイバであってよいが、シングルモード光ファイバであってもよい。
【００１８】
光ファイバ保持部１１１は、第３レンズ１０９により集光されたレーザ光と光ファイバ１１２との結合効率が最大となる位置に、光ファイバ１１２を固定している。
【００１９】
つぎに、この半導体レーザモジュール１００の動作を説明する。まず、リードピン１０５から、各半導体レーザ素子１０４−１〜１０４−６に、電圧が印加されるとともに電流が注入され、各半導体レーザ素子１０４−１〜１０４−６からレーザ光が−ｘ方向に出射される。各半導体レーザ素子１０４−１〜１０４−６から出射されたレーザ光は、それぞれ各第１レンズ１０６−１〜１０６−６および各第２レンズ１０７−１〜１０７−６によって、略平行光とされる。具体的には、各半導体レーザ素子１０４−１〜１０４−６から出射されたレーザ光は、各第１レンズ１０６−１〜１０６−６によって、ｙ方向について広がりを抑えられ、ｙ方向に略平行光とされる。つぎに、レーザ光は、各第２レンズ１０７−１〜１０７−６によって、ｘ方向について広がりを抑えられ、ｘ方向に略平行光とされる。
【００２０】
略平行光とされたレーザ光は、ミラー１５０−１〜１５０−６によって反射される。ここで、各半導体レーザ素子１０４−１〜１０４−６は、図２のとおり、段差により高さが互いに異なるように配置されている。そのため、レーザ光は、同様に段差により高さが互いに異なるように配置されたミラー１５０−１〜１５０−６のうち、対応する半導体レーザ素子１０４−１〜１０４−６と同じ高さに配置された１つのミラーによって反射され、光ファイバ１１２の導波方向であるｚ方向に平行となるように反射される。これによって、各半導体レーザ素子から出力されたレーザ光は、ミラー１５０−１〜１５０−６のうち、その光路上に形成された１つのミラーによって反射され、該ミラー以外のミラーを通過することはない。このような段差構造によって、レーザ光に不要な損失が生じることを防いでいる。
【００２１】
つぎに、レーザ光は、集光部である第３レンズ１０９によって集光され、光ファイバ１１２に結合される。光ファイバ１１２に結合したレーザ光は、光ファイバ１１２によって、半導体レーザモジュール１００の外部に導波され、出力される。なお、フィルタ１０８は、外部から入る余計な光をカットするためのものであり、省略してもよい。
【００２２】
つぎに、光ファイバ保持部１１１の構成について説明する。図３は、図１に示す半導体レーザモジュールの光ファイバ保持部を拡大した模式的なｘ−ｚ平面図である。図４は、図１に示す半導体レーザモジュールの光ファイバ保持部を拡大した模式的なｙ−ｚ平面図である。
【００２３】
図３、４に示すように、光ファイバ保持部１１１は、台座１１１ａと保持部材であるフェルール１１１ｂと固定剤１１４ａ、１１４ｂとを備える。台座１１１ａは、パッケージ１０１に固定されている。フェルール１１１ｂは、固定剤１１４ａによって、台座１１１ａ上に固定されている。フェルール１１１ｂには、光ファイバ１１２が挿通され、フェルール１１１ｂと光ファイバ１１２とが固定剤１１４ｂによって固定されている。これによって、光ファイバ保持部１１１は、光ファイバ１１２を保持する。また、光ファイバ１１２は、コア１１２ａと、クラッド１１２ｂとを備えており、第３レンズ１０９に面する側にレーザ光が入射される光入射側の端部１１２ｃを有する。
【００２４】
フェルール１１１ｂは、後述するレーザ光の非結合光によって溶融しないことが好ましく、難燃性の材料からなる、または、レーザ光に対する光吸収率が３０％以下であることが好ましい。このような材料として、フェルール１１１ｂは、耐熱温度が５００℃以上のものを用いることが好ましく、例えば、耐熱温度が１０００℃以上である金属、ガラス、または、セラミックからなる。また、フェルール１１１ｂは、レーザ光によって溶融しないために、第３レンズ１０９側（端部１１２ｃ側）に、レーザ光の波長において、反射率が７０％以上、より好ましくは９０％以上の反射膜を備える構成であってもよい。このような材料として、反射膜は、例えば、金属膜、または、誘電体多層膜からなる。また、後述するように、フェルール１１１ｂの第３レンズ１０９側の端面を含む外表面を金属等で覆う構成としてもよい。また、固定剤１１４ａおよび固定剤１１４ｂは、例えば、ＵＶ硬化樹脂や熱硬化樹脂等の有機接着剤、はんだ、低融点ガラス、無機接着剤によって構成され、取り扱い易さからエポキシ樹脂やウレタン系の樹脂が好適に用いられる。なお、エポキシ樹脂やウレタン系の樹脂の耐熱温度は１００℃程度である。
【００２５】
ここで、レーザ光は、集光部である第３レンズ１０９によって集光され、光ファイバ１１２に結合されるが、その一部は光ファイバ１１２に結合されず、非結合光となる。非結合光が発生する原因として、第３レンズ１０９が集光したレーザ光のスポット径が、光ファイバ１１２のコア径より大きく、レーザ光の一部が光ファイバ１１２のコア１１２ａに導入されない場合と、レーザ光が光ファイバ１１２のコア１１２ａに導入されたが、コア１１２ａとクラッド１１２ｂとの界面にて全反射されずに光ファイバ１１２の側面から漏れ光として放出される場合とがある。なお、本実施の形態１に係る半導体レーザモジュール１００においては、光ファイバ１１２のコア径は１０５μｍであり、第３レンズ１０９が集光するレーザ光のフィールドは楕円形が６つ重ねられた形状であり、楕円形の長径が１００μｍ、短径が３０μｍ程度である。したがって、光ファイバ１１２のコア径よりも、第３レンズ１０９が集光するレーザ光のスポット径が小さいので、非結合光は主に漏れ光によると考えられる。
【００２６】
図５は、レーザ光が光ファイバに結合される際に発生する漏れ光について説明するための説明図である。図５に示すように、紙面左側から第３レンズ１０９に入射されたレーザ光Ｌは、第３レンズ１０９によって集光され、光ファイバ１１２のコア１１２ａに導入される。導入されたレーザ光のうち、レーザ光Ｌ０は、光ファイバ１１２に結合され、コア１１２ａの中心を導波する。レーザ光Ｌ１は、コア１１２ａのクラッド１１２ｂとの境界において全反射され、光ファイバ１１２に結合される。しかしながら、レーザ光Ｌ２およびレーザ光Ｌ３のように、コア１１２ａのクラッド１１２ｂとの境界において反射せず、コア１１２ａに閉じ込められずに、光ファイバ１１２の外部に放出され、漏れ光となるレーザ光もある。レーザ光Ｌ２、Ｌ３のような漏れ光を漏れ光Ａで表し、漏れ光Ａが通過する領域を漏れ光通過領域とする。なお、図５において、実際にはレーザ光Ｌ０〜Ｌ３は、各光路上の各界面において屈折するが、説明の簡略化のため、各光路を直線とした。
【００２７】
したがって、光ファイバ１１２の導波方向に対して十分角度が小さく、入射したレーザ光が光ファイバ１１２に結合される領域は、光ファイバ１１２の外部に漏れ光Ａがほとんど放出されず、漏れ光が十分弱い。この領域を内側固定領域Ｓ１とする。また、光ファイバ１１２の導波方向に対して十分角度が大きい領域も漏れ光が十分弱い。この領域を外側固定領域Ｓ２とする。このように、漏れ光が十分弱い、すなわち漏れ光の強度が低い領域である固定領域は、内側固定領域と外側固定領域とからなる。
なお、ここで漏れ光が十分弱いとは、ｘ-ｙ面における漏れ光の強度が１３０Ｗ／ｍｍ２より小さく、さらに好ましくは、１００Ｗ／ｍｍ２より小さい領域を指す。
【００２８】
また、光ファイバ１１２に入射される光のフィールドが楕円形である場合、その長軸方向（光のフィールドにおける最も直径が長くなる方向）に対して漏れ光の強度が強くなる。なお、半導体レーザ素子の数が多くなるとフィールドの短軸方向と長軸方向の直径が同程度あるいは、短軸方向の方が長くなることも考えられる。しかしながら、短軸方向の直径は、半導体レーザ素子の駆動電流が変化してもほとんど変化しないため、適正な設計を行うことで漏れ光の強度を充分小さくできる。一方、長軸方向の直径は半導体レーザ素子の駆動電流が変化すると変化する場合があるため、半導体レーザ素子の数が多い場合においても、長軸方向に対して漏れ光の強度を考慮する必要がある。
【００２９】
このように発生した漏れ光が、樹脂やはんだ等からなる固定剤に照射されると、固定剤が溶融または破損する場合がある。このような現象は、例えば、出力が１Ｗ以上であるような高出力の半導体レーザモジュールで生じやすい。さらに、半導体レーザ素子１０４−１〜１０４−６が高出力であるほど、漏れ光の光強度も増大するため、固定剤の溶融または破損が生じやすくなる。
【００３０】
これに対して、本実施の形態１に係る半導体レーザモジュール１００においては、図６に示すように、光ファイバ１１２に入射されるレーザ光Ｌの光のフィールドの楕円形の長軸方向に相当するｘ軸方向において、漏れ光Ａが通過する漏れ光通過領域に対して固定剤１１４ａが外側固定領域Ｓ２に形成され、固定剤１１４ｂが内側固定領域Ｓ１に形成されている。さらには、漏れ光Ａはフェルール１１１ｂのレーザ光Ｌ入射側の端面により反射される。これによって、固定剤１１４ａおよび固定剤１１４ｂに照射される漏れ光が十分弱く、固定剤１１４ａおよび固定剤１１４ｂが溶融または破損することはない。したがって、本実施の形態１に係る半導体レーザモジュール１００は、高出力動作時においても信頼性の高い半導体レーザモジュールとなる。なお、半導体レーザ素子１０４−１〜１０４−６が、例えば、合計で１０Ｗ以上の高出力である場合、漏れ光の強度が１３０Ｗ／ｍｍ２以上になることがあり、固定剤に漏れ光が照射されると溶融または破損が生じることがあり、さらには半導体レーザ素子１０４−１〜１０４−６が、例えば、合計で３０Ｗ以上の高出力である場合、漏れ光の強度が１３０Ｗ／ｍｍ２以上になりやすくなるので、本実施の形態１による固定剤１１４ａおよび固定剤１１４ｂが溶融または破損することを防止する効果がより顕著となる。
【００３１】
図７は、フェルールの変形例を示す図である。このフェルール１１１ｃは、前述のように、ガラスからなるフェルール本体１１１ｃａと、フェルール本体１１１ｃａのレーザ光Ｌ入射側の端面を含む外表面を覆う、パイプ状の金属からなる保護体１１１ｃｂとを備えるものである。光ファイバ１１２は固定剤１１４ｂによりフェルール本体１１１ｃａの挿通孔内部に接着されている。この構成を有するフェルール１１１ｃでは、非結合光である漏れ光Ａはフェルール１１１ｃのレーザ光Ｌ入射側の端面を構成する保護体１１１ｃｂにより反射されるので、固定剤１１４ｂに照射される漏れ光が十分弱く、殆ど照射されなくなる。また、ガラスからなるフェルール本体１１１ｃａは、たとえば金属フェルールよりも精度良く作製できる。そのため、光ファイバ１１２の挿通孔も精度良く作製できるので、光ファイバ１１２と挿通孔との間の隙間を狭くできる。その結果、使用する固定剤１１４ｂの量を制限できる。また、フェルール本体１１１ｃａの外表面を金属からなる保護体１１１ｃｂで覆う構成としているので、漏れ光Ａがフェルール１１１ｃに照射されることにより発生する熱を放熱する構造を取り付け易いという効果もある。
【００３２】
以下に漏れ光が十分弱い領域である固定領域について、さらに詳細に説明する。
【００３３】
以下に説明に使用する実験用の半導体レーザモジュール１０００は、図８に示すように、実施の形態１に係る半導体レーザモジュールにおいて、フェルールを用いず、光ファイバ１１２を平面状の台座１０１１ａに直接固定剤１０１４で固定した光ファイバ保持部１０１１を有する構成であり、それ以外の構成は半導体レーザモジュール１００と同一である。
【００３４】
まず、６つの半導体レーザ素子１０４−１〜１０４−６から出射されるレーザ光の出力は、各素子において最大で１１Ｗとした。各半導体レーザ素子１０４−１〜１０４−６から出射されるレーザ光の波長は、同一であり、９１５ｎｍとした。各第１レンズ１０６−１〜１０６−６の焦点距離は０．３ｍｍ、各第２レンズ１０７−１〜１０７−６の焦点距離は１０．５ｍｍ、第３レンズ１０９の焦点距離は１０ｍｍとした。また、光ファイバ１１２は、コア径が１０５μｍ、ＮＡが０．１５のマルチモード光ファイバとした。そして、固定剤１０１４は、エポキシ樹脂とした。固定剤１０１４は、光ファイバ１１２からの漏れ光が照射される、漏れ光強度が強い領域である先端から３ｍｍの位置に設けた。
【００３５】
はじめに、本半導体レーザモジュール１０００において、駆動電流を上げ、半導体レーザモジュール１０００の出力を上げると、光ファイバ１１２とレーザ光との結合効率と固定剤１０１４の温度とがどのように変化するかを測定した。図９は、駆動電流と、結合効率および固定剤の温度との関係を表す図である。図９に示すように、駆動電流を上げると、結合効率が下がり、固定剤の温度が上がる。これは、駆動電流を上げると、漏れ光の光強度も増大し、固定剤であるエポキシ樹脂が高温となることによって軟化および変形し、結合効率が下がるためと考えられる。例えば、駆動電流を１２Ａとした場合には、結合効率は約８０％まで減少し、固定剤の温度は１００℃以上となる。ここで、エポキシ樹脂やウレタン系の樹脂は、１００℃程度で溶融するため、固定剤が溶融する場合がある。
【００３６】
ここで、例えば、各半導体レーザ素子１０４−１〜１０４−６から光強度が１１Ｗずつのレーザ光が出射され、計６６Ｗのレーザ光が光ファイバ１１２に入射される場合、結合効率は８５％となる。つまり、レーザ光のうち、５６Ｗが光ファイバ１１２に結合し、残りの約１０Ｗが非結合光である漏れ光として、光ファイバ１１２の側面から放出されていることとなる。このように、半導体レーザモジュールが高出力であると、漏れ光の強度も非常に大きくなる。このような条件下で半導体レーザモジュールを使用すると、信頼性が著しく損なわれることとなる。
【００３７】
このような著しい信頼性の低下は、固定剤１０１４が設けられている位置における漏れ光の強度が１３０Ｗ／ｍｍ２以上となる場合に生じやすい。光ファイバ１１２に入射されるレーザ光の強度が１０Ｗ以上の場合に、このような問題が生じる場合があり、特に３０Ｗ以上の場合には、漏れ光の強度が１３０Ｗ／ｍｍ２以上となりやすい。
【００３８】
つぎに、漏れ光が光ファイバ１１２の側面から放出された後、どのような領域を通過するかをシミュレーションした。図１０は、光ファイバ１１２のレンズ（第３レンズ１０９）側の先端（すなわち光入射側端部）から３ｍｍの位置における漏れ光の強度分布をシミュレーションした結果を表す模式図である。図１０は、結合効率が９６％、非結合光の強度が０．１５Ｗにおける漏れ光の強度分布をシミュレーションした結果である。図１０の一辺の長さは２ｍｍであり、光ファイバ１１２は図の中心に配置されている。図中の白い部分が、光強度の強い部分を示す。ここで、図１０には、紙面左右方向、すなわちｘ方向に漏れ光の強度が強い領域があり、一方で、紙面上下方向、すなわちｙ方向に漏れ光の強度が強い領域がない。これは、本半導体レーザモジュール１０００の条件において、光ファイバ１１２に入射される光のフィールドが、ｘ方向に長軸を有する楕円形であることに起因する。この楕円は、例えば、長径が１００μｍ、短径が３０μｍ程度であり、長径および短径が光ファイバのコア径よりも小さい。このように、光ファイバに入射される光のフィールドが楕円形である場合、長軸方向（光のフィールドにおける最も直径が長くなる方向）に対する漏れ光の強度が強くなるため、長軸方向において、固定剤を漏れ光が通過する領域（漏れ光の強度が強い領域）よりも、光ファイバから離れた位置等の、漏れ光の強度が弱い領域に設ける必要がある。
【００３９】
つぎに、図１１は、図１０のＡ−Ａ線断面における光強度を表す図である。図１１に示すように、光ファイバに入射される光のフィールドの長軸方向において、漏れ光の強度が十分に弱い領域は、光ファイバ１１２の光入射側端部から３ｍｍの位置において光ファイバ１１２の中心からの距離が０．８ｍｍより外側の領域となる。この領域が外側固定領域である。なお、光ファイバ１１２のコア径は１０５μｍであり、０．８ｍｍに対して十分小さい。したがって、図中の光強度の強い領域は、光ファイバ１１２から放出された漏れ光を表す。さらに、図１１より、中心付近にも漏れ光の強度が十分に弱い領域があることがわかる。この領域が内側固定領域である。
【００４０】
つぎに、本半導体レーザモジュール１０００について、漏れ光通過領域（漏れ光の強度が強い領域）をより詳細に測定した。このとき、各半導体レーザ素子１０４−１〜１０４−６から光強度が１１Ｗずつのレーザ光が出射され、計６６Ｗのレーザ光が光ファイバに入射されるようにした。そのうち８０〜８５％程度のレーザ光を光ファイバ１１２に結合させ、光ファイバ１１２から出射される光の出力が５０Ｗとなるように調整した。このような条件において、半導体レーザモジュール１０００を１時間連続駆動させた場合に、固定剤１０１４が溶融または破損し、光ファイバ１１２から出射されるレーザ光の出力が低下するかどうかを測定した。
【００４１】
図１２は、漏れ光が通過する領域を測定する方法を説明するための図である。図１２に示すように、光ファイバ１１２に入射されるレーザ光Ｌの光のフィールドの長軸方向（紙面上下方向）において、光ファイバ１１２の導波方向に伸びる光ファイバの中心軸Ｘに対して、光ファイバ１１２に入射するレーザ光Ｌが成す角（入射角）を角度θｉｎとする。また、レーザ光Ｌの光のフィールドの長軸方向において、光ファイバ１１２の集光部側の端部１１２ｃの断面中心から、光ファイバ１１２の導波方向（中心軸Ｘ）に対して、漏れ光Ａが固定剤１０１４を通過する領域の外側の成す角を角度θａ、光が固定剤１０１４を通過する領域の内側の成す角を角度θｂとする。
【００４２】
そして、この条件において、θａおよびθｂを変化させた５０個の半導体レーザモジュール１０００を製造し、固定剤１０１４が破損するかどうかの試験を行った。表１、図１３は、漏れ光が通過する領域を測定した結果を表す図表である。
【００４３】
【表１】
2014192944.tif 000003
【００４４】
表１は、左から各半導体レーザモジュール１０００の番号、θｉｎ、θａ、θｂ、試験の結果を表す。θａおよびθｂは、固定剤１０１４と光ファイバ１１２との位置関係を測定し、角度に換算することによって求めた。試験の結果は、固定剤１０１４が破損しなかった場合を「○」、固定剤１０１４が破損した場合を「×」と記載している。さらに、図１３として、表１の結果について、横軸を入射する光の角度θｉｎとし、縦軸に各試験におけるθａとθｂとに挟まれた領域、つまり、漏れ光が固定剤１０１４に照射される領域を図示した。図１３において、実線が表１における「○」に対応する固定剤１０１４が破損しなかった場合、破線が表１における「×」に対応する固定剤１０１４が破損した場合である。この試験において、漏れ光が固定剤１０１４のごく一部にでも照射されると、固定剤１０１４が破損すると考えられる。このため、固定剤１０１４が破損しなかった場合を１つでも含む領域が、漏れ光が十分弱い領域であるとみなすことができる。そして、図１３より、光ファイバ１１２に入射される光のフィールドの長軸方向において、この漏れ光が十分弱い領域を求めると、漏れ光が十分弱い固定領域は、光ファイバ１１２の集光部側の端部１１２ｃの断面中心から光ファイバ１１２の中心軸Ｘに対して１５°以上の角度を成す、角度θ１＝１５°より外側の領域（外側固定領域）、および、光ファイバ１１２の中心軸Ｘに対してθ２＝−１．１５θｉｎ＋１２．５°以下の角度を成す、角度θ２より内側の領域（内側固定領域）であることがわかる。
【００４５】
図１４は、漏れ光が放射される領域を説明するための説明図である。試験の結果より、図１４に示すように、漏れ光Ａが通過する漏れ光通過領域は、斜線で示す角度θ１と角度θ２との間の領域である。これに対して、漏れ光Ａが十分弱い領域は、角度θ１の外側の外側固定領域Ｓ２と、角度θ２の内側の内側固定領域Ｓ１である。このうち、外側固定領域Ｓ２は、光ファイバ１１２の中心軸Ｘに対する角度が大きい領域であるため、漏れ光Ａが通過しない。一方、内側固定領域は、光ファイバ１１２の中心軸Ｘに対する角度が小さい領域であるため、入射した光が光ファイバ１１２に結合され、その領域には漏れ光として放出されないような領域であるため、漏れ光Ａが通過しない。したがって、固定剤を固定領域である外側固定領域Ｓ２および内側固定領域Ｓ１の少なくとも一方に形成することによって、固定剤に照射される漏れ光を、固定剤が溶融または破損しない程度に十分弱くすることができる。このとき、漏れ光が１Ｗ以上、さらには、１０Ｗとなるような極めて高出力な条件下においても信頼性の高い半導体レーザモジュールを実現することができ、本発明の効果を十分発揮することができる。
【００４６】
（実施例）
つぎに、本発明の実施例について説明する。実施例に係る半導体レーザモジュールは、本実施の形態１に係る半導体レーザモジュール１００の構成を有しており、図８に示す実験用の半導体レーザモジュール１０００の構成と異なり、図６に示すように、固定剤１１４ａ、１１４ｂが外側固定領域Ｓ２および内側固定領域Ｓ１に形成されている。各素子の出力光強度、焦点距離、材料等は実験用の半導体レーザモジュールの場合と同一である。このような実施例に係る半導体レーザモジュールを実際に製造し、光ファイバから出射されるレーザ光の出力を３０Ｗとし、１００時間の連続駆動を実施した。このとき、図９に示すような、温度上昇や結合効率の低下はみられなかった。したがって、本実施例に係る半導体レーザモジュールは、高出力動作時においても信頼性の高い半導体レーザモジュールであることが実証された。
【００４７】
なお、上記光ファイバ保持部１１１では、固定剤１１４ａおよび固定剤１１４ｂを用いて光ファイバ１１２を保持する構成であるが、固定剤１１４ａと固定剤１１４ｂとのうちどちらか一方のみを用いる構成であってもよい。例えば、固定剤１１４ａを用いず、固定剤１１４ｂのみを設けて、フェルール１１１ｂを台座１１１ａと金属板とで挟み、ネジによって固定する構成であってよい。つまり、固定剤１１４ｂが内側固定領域Ｓ１だけに配置されている構成であってもよい。また、例えば、固定剤１１４ｂを用いず、固定剤１１４ａのみを設けて、フェルール１１１ｂの内周と、光ファイバ１１２の外周とが精度よく整合するように加工し、固定剤１１４ｂを用いなくても光ファイバ１１２がずれない構成としてもよい。つまり、固定剤１１４ａと光ファイバ１１２とが離間し、固定剤１１４ａが外側固定領域Ｓ２だけに形成されている構成であってもよい。このように、光ファイバ保持部を構成する場合に、固定剤が、内側固定領域および外側固定領域のいずれか一方のみに配置される構成であってもよい。
【００４８】
（光ファイバ保持部の変形例１）
つぎに、光ファイバ保持部の一変形例として、上記のように固定剤が内側固定領域のみ配置される光ファイバ保持部を説明する。
【００４９】
図１５Ａは、光ファイバ保持部の変形例１の模式的なｘ−ｚ平面図である。この光ファイバ保持部１１１Ａは、実施の形態１に係る半導体レーザモジュール１００の光ファイバ保持部１１１と置き換えて使用できるものである。
【００５０】
光ファイバ保持部１１１Ａは、台座１１１Ａａと固定剤１１４Ａｂとを備えている。光ファイバ保持部１１１Ａは、固定剤１１４Ａｂが光ファイバ１１２を台座１１１Ａａに接着固定することにより、光ファイバ１１２を保持する。固定剤１１４Ａｂは固定剤１１４ｂと同様の材料からなる。
【００５１】
この光ファイバ保持部１１１Ａは、固定剤１１４Ａｂが内側固定領域Ｓ１に設けられているため、光ファイバ１１２にレーザ光Ｌが入射されて発生する漏れ光Ａが固定剤１１４Ａｂに照射されないこととなる。したがって、この光ファイバ保持部１１１Ａを備えた半導体レーザモジュール１００は、高出力動作時においても信頼性の高い半導体レーザモジュールとなる。
【００５２】
なお、このように固定剤１１４Ａｂを内側固定領域Ｓ１に設けるためには、たとえば以下に示すような台座が好適である。
【００５３】
図１５Ｂ、図１５Ｃ、図１５Ｄは、台座の変形例を示す図である。図１５Ｂは、台座１１１Ａａの幅を細くすることにより、固定剤１１４Ａｂを内側固定領域Ｓ１に設けやすくかつ漏れ光Ａが通過する領域にはみ出しにくいようにしたものである。図１５Ｃに示す台座１１１Ａｂ１は、固定剤１１４Ａｂの両側に溝ｇ１を設け、固定剤１１４Ａｂを内側固定領域Ｓ１に設けやすくかつ漏れ光Ａが通過する領域にはみ出しにくいようにしたものである。図１５Ｄに示す台座１１１Ａｂ２は、光ファイバ１１２を収容する溝ｇ２が設けられており、溝ｇ２内に光ファイバ１１２および固定剤１１４Ａｂを配置することにより、固定剤１１４Ａｂを内側固定領域Ｓ１に設けやすくかつ漏れ光Ａが通過する領域にはみ出しにくいようにしたものである。
【００５４】
（実施の形態２）
図１６は、本発明の実施の形態２に係る半導体レーザモジュールの模式的な平面図である。また、図１７は、図１６に示す半導体レーザモジュールの模式的な一部切欠図である。なお、図１６、図１７では、パッケージの上蓋は図示を省略している。図１６、図１７に示すように、半導体レーザモジュール１００Ａは、パッケージ１０１Ａ内に、ＬＤ高さ調整板１０２Ａ、サブマウント１０３、半導体レーザ素子１０４が、この順に積載されている。また、半導体レーザモジュール１００Ａには、リードピン１０５が接続されている。そして、半導体レーザ素子１０４が出力するレーザ光の光路上に、第１レンズ１０６、第２レンズ１０７、フィルタ１０８、第３レンズ１０９が、この順にパッケージ１０１内に固定されている。さらに、第３レンズ１０９と対向して、光ファイバ保持部１１１に固定された光ファイバ１１２が、パッケージ１０１内に固定されている。また、パッケージ１０１Ａには光ファイバ挿入口１０１Ａａが設けられている。光ファイバ１１２は光ファイバ挿入口１０１Ａａに挿通されており、光ファイバ挿入口１０１Ａａは、挿入部固定剤１１３によって封止されている。
【００５５】
パッケージ１０１Ａは、実施の形態１に係る半導体レーザモジュール１００のパッケージ１０１に相当し、各光学素子が固定される。ＬＤ高さ調整板１０２Ａは、ＬＤ高さ調整板１０２に相当し、パッケージ１０１Ａ内に固定され、半導体レーザ素子１０４の高さを調節する。サブマウント１０３、半導体レーザ素子１０４、リードピン１０５、第１レンズ１０６、第２レンズ１０７、フィルタ１０８、第３レンズ１０９、光ファイバ保持部１１１の構成および作用は、実施の形態１に係る半導体レーザモジュール１００における対応する要素と同様の構成、作用を有するので、説明を省略する。
【００５６】
この半導体レーザモジュール１００Ａの動作を説明する。まず、リードピン１０５から、半導体レーザ素子１０４に、電圧が印加されるとともに電流が注入され、半導体レーザ素子１０４からレーザ光がｚ方向に出射される。半導体レーザ素子１０４から出射されたレーザ光は、第１レンズ１０６および第２レンズ１０７によって略平行光とされる。略平行光とされたレーザ光は、集光部である第３レンズ１０９によって集光され、光ファイバ１１２に結合される。光ファイバ１１２に結合したレーザ光は、光ファイバ１１２によって、半導体レーザモジュール１００Ａの外部に導波され、出力される。
【００５７】
ここで、光ファイバ保持部１１１では、実施の形態１の場合と同様に、光ファイバ１１２に入射される光のフィールドの楕円形の長軸方向に相当するｘ軸方向において、漏れ光に対して固定剤１１４ａが外側固定領域Ｓ２に形成され、固定剤１１４ｂが内側固定領域Ｓ１に形成されている。これによって、固定剤１１４ａおよび固定剤１１４ｂに照射される漏れ光が十分弱く、固定剤１１４ａおよび固定剤１１４ｂが溶融または破損することはない。したがって、本実施の形態２に係る半導体レーザモジュール１００Ａは、高出力動作時においても信頼性の高い半導体レーザモジュールとなる。
【００５８】
以下、実施の形態１に係る半導体レーザモジュール１００の変形例に係る半導体レーザモジュールについて説明する。なお、変形例に係る半導体レーザモジュールは、半導体レーザモジュール１００の光ファイバ保持部１１１を変形例に係る光ファイバ保持部に置き換えた構成を有するので、以下では主に変形例に係る光ファイバ保持部について説明する。また、以下に説明する変形例に係る光ファイバ保持部は、本発明の他の実施の形態に係る半導体レーザモジュールにも適用できるものである。
【００５９】
（変形例２）
図１８は、変形例２に係る光ファイバ保持部の模式的なｘ−ｚ平面図である。図１８に示すように、本変形例２に係る光ファイバ保持部２１１は、フェルール２１１ｂが、レーザ光Ｌ入射側の端面が曲面２１１ｂａを有する。そして、フェルール２１１ｂは、固定剤２１４ａによって、不図示の台座上に固定されている。さらに、フェルール２１１ｂは、光ファイバ１１２を挿通され、フェルール２１１ｂと光ファイバ１１２とが固定剤２１４ｂによって固定されている。これによって、光ファイバ保持部２１１が、光ファイバ１１２を保持する。なお、固定剤２１４ａ、２１４ｂは、固定剤１１４ａ、１１４ｂと同様の材料からなり、それぞれ外側固定領域Ｓ２、内側固定領域Ｓ１に設けられている。
【００６０】
ここで、レーザ光Ｌから発生する漏れ光Ａの一部はフェルールに照射される。このとき、フェルールのレーザ光Ｌ入射側の端面が光ファイバ１１２の導波方向（中心軸）に垂直な平面である場合、漏れ光Ａは、レーザ光Ｌ入射側の端面に対して略垂直に照射される。一方、本変形例２に係る光ファイバ保持部２１１では、フェルール２１１ｂがレーザ光Ｌ入射側の端面が曲面２１１ｂａを有することによって、漏れ光Ａは、曲面２１１ｂａに対して角度をつけて照射される。このように、角度がついていることによって、漏れ光Ａが垂直に照射される場合よりも、反射量が多くなるため、漏れ光Ａがフェルール２１１ｂに吸収される量を減らすことができる。したがって、フェルール２１１ｂが漏れ光Ａを吸収して温度上昇することによって、固定剤２１４ａまたは固定剤２１４ｂを溶解させることを防止することができる。さらに、フェルール２１１ｂに反射された漏れ光が、固定剤２１４ａまたは固定剤２１４ｂに照射されることを防止することができる。したがって、このような本変形例２に係る光ファイバ保持部２１１を用いた半導体レーザモジュールは、高出力動作時においてもより信頼性の高い半導体レーザモジュールである。なお、フェルール２１１ｂのレーザ光Ｌ入射側の端面は、曲面２１１ｂａに限らず、漏れ光Ａの入射方向に対して角度をつけられた傾斜面であってもよい。
【００６１】
（変形例３）
図１９は、変形例３に係る光ファイバ保持部の模式的なｘ−ｚ平面図である。図１９に示すように、本変形例３に係る光ファイバ保持部３１１は、フェルール３１１ｂが、漏れ光Ａに対して略透明なジルコニアまたはガラスからなる。そして、フェルール３１１ｂは、固定剤３１４ａによって不図示の台座上に固定されている。さらに、フェルール３１１ｂは、光ファイバ１１２を挿通され、フェルール３１１ｂと光ファイバ１１２とが固定剤３１４ｂによって固定されている。これによって、光ファイバ保持部３１１が、光ファイバ１１２を保持する。なお、固定剤３１４ａ、３１４ｂは、固定剤１１４ａ、１１４ｂと同様の材料からなり、それぞれ外側固定領域Ｓ２、内側固定領域Ｓ１に設けられている。
【００６２】
この光ファイバ保持部３１１では、フェルール３１１ｂに照射された漏れ光Ａは、フェルール３１１ｂを透過する。すなわち、漏れ光Ａがフェルール３１１ｂに吸収されない。これによって、フェルール３１１ｂの温度が上昇して固定剤３１４ａまたは固定剤３１４ｂを溶解させることを防止することができる。したがって、このような本変形例３に係る光ファイバ保持部２１１を用いた半導体レーザモジュールは、高出力動作時においてもより信頼性の高い半導体レーザモジュールである。なお、フェルール３１１ｂに反射された漏れ光Ａが、固定剤３１４ａまたは固定剤３１４ｂに照射されないようにするために、フェルール３１１ｂのレーザ光Ｌ入射側の端面には反射防止膜が形成されていてもよい。
【００６３】
（変形例４）
図２０は、変形例４に係る光ファイバ保持部の模式的なｘ−ｚ平面図であり、図２１はその断面図である。図２０、２１に示すように、本変形例４に係る光ファイバ保持部４１１は、金属製のフェルール４１１ｂが半導体レーザモジュールのパッケージ４０１に直接固定されている。光ファイバ１１２は、不図示の固定剤によってフェルール４１１ｂに固定されている。このように変形例４に係る光ファイバ保持部は、台座を用いない構成を有する。そして、図２１に示すように、固定剤４１４ａ、４１４ｂは、固定剤１１４ａ、１１４ｂと同様の材料からなり、それぞれ外側固定領域Ｓ２、内側固定領域Ｓ１内にあるフェルール４１１ｂの挿通孔内に設けられている。したがって、このような本変形例４に係る光ファイバ保持部４１１を用いた半導体レーザモジュールは、高出力動作時においてもより信頼性の高い半導体レーザモジュールである。
【００６４】
なお、フェルール４１１ｂがパッケージ４０１に固定される位置は、光ファイバ１１２のレーザ光Ｌ入射側の端部から十分離れているために漏れ光が十分弱い。このため、フェルール４１１ｂは、固定剤４１４ａによってパッケージ４０１に固定されていてもよいが、ネジなどの機械的な固定方法によってパッケージ４０１に固定されていてもよい。また、光ファイバ１１２は、フェルール４１１ｂに、少量の固定剤４１４ｂで固定できるため、容易に固定剤４１４ｂを外側固定領域または内側固定領域に形成できる。これによって、固定剤４１４ａ、４１４ｂに照射される漏れ光が十分弱く、固定剤が溶融または破損することを防止することができる。
【００６５】
（実施の形態３）
図２２は、本発明の実施の形態３に係る半導体レーザモジュールの模式的な平面図である。また、図２３は、図２２に示す半導体レーザモジュールの模式的な一部切欠図である。図２２、２３に示すように、本実施の形態３に係る半導体レーザモジュール１００Ｂは、実施の形態１に係る半導体レーザモジュール１００において、光ファイバ保持部１１１を光ファイバ保持部１１１Ｂに置き換えた構成を有する。
【００６６】
図２４は、図２２に示す光ファイバ保持部のＢ−Ｂ線断面図である。図２４に示すように、光ファイバ保持部１１１Ｂは、光ファイバ１１２の導波方向であるｚ方向に沿って伸びる溝１１１Ｂａａを有する台座１１１Ｂａを備える。そして、光ファイバ１１２は、固定剤１１４Ｂによって溝１１１Ｂａａ内に固定されている。このとき溝１１１Ｂａａの幅は、固定剤１１４Ｂが漏れ光Ａに対して内側固定領域Ｓ１に収まるように十分狭い。これによって、固定剤１１４Ｂが内側固定領域Ｓ１内に設けられ、固定剤１１４Ｂに漏れ光Ａが照射されない。したがって、本実施の形態３に係る半導体レーザモジュール１００Ｂは、高出力動作時においても信頼性の高い半導体レーザモジュールとなる。このように、固定剤の広がりを抑制する構造によって、固定剤を内側固定領域または外側固定領域に限定して形成することによっても本発明の効果が得られる。
【００６７】
なお、固定剤によって光ファイバを固定する際に、固定剤が接着後の硬化にともない収縮し、光ファイバがずれる場合がある。光ファイバがずれると、結合効率の悪化を招き、好ましくない。ここで、本実施の形態３に係る半導体レーザモジュール１００Ｂにおいては、溝１１１Ｂａａを有する台座１１１Ｂａによって、光ファイバ１１２を固定している。このとき、溝１１１Ｂａａに固定剤１１４Ｂを注入すると、固定剤１１４Ｂの硬化にともなう収縮が光ファイバ１１２の断面方向（ｘｙ面内方向）において等方的に生じるため、光ファイバ１１２がずれることがない。このように、本実施の形態３に係る半導体レーザモジュール１００Ｂは、固定剤１１４Ｂの硬化にともなう光ファイバ１１２のずれをも抑制した構成である。
【００６８】
（変形例５）
図２５は、変形例５に係る光ファイバ保持部の模式的なｙ−ｚ断面図である。図２５に示すように、本変形例５に係る光ファイバ保持部６１１は、光ファイバ固定部材６１１ｂａおよび光ファイバ固定部材６１１ｂｂからなる保持部材である光ファイバ固定部材６１１ｂと、固定剤６１４とからなる。光ファイバ固定部材６１１ｂａおよび光ファイバ固定部材６１１ｂｂは、レーザ光の非結合光や漏れ光によって溶融しないことが好ましく、難燃性の材料からなる、または、レーザ光に対する光吸収率が３０％以下であることが好ましい。このような材料として、光ファイバ固定部材６１１ｂａおよび光ファイバ固定部材６１１ｂｂは、例えば、耐熱温度が１０００℃以上であるガラス、または、セラミックからなる。なお、光ファイバ固定部材６１１ｂとしては、耐熱温度が５００℃以上のものを用いることが好ましい。また、光ファイバ固定部材６１１ｂａおよび光ファイバ固定部材６１１ｂｂは、レーザ光によって溶融しないために、第３レンズ１０９側（図１、２参照）に、レーザ光の波長において、反射率が７０％以上、より好ましくは９０％以上の反射膜を備える構成であってもよい。このような材料として、反射膜は、例えば、金属膜、または、誘電体多層膜からなる。また、固定剤６１４は、例えば、ＵＶ硬化樹脂や熱硬化樹脂等の有機接着剤、はんだ、低融点ガラス、無機接着剤によって構成され、取り扱い易さからエポキシ樹脂やウレタン系の樹脂が用いられる。
【００６９】
この光ファイバ保持部６１１では、台座の機能も有している光ファイバ固定部材６１１ｂａが、パッケージ１０１内に固定されている。そして、固定剤６１４が、光ファイバ固定部材６１１ｂａと光ファイバ固定部材６１１ｂｂとを接着することによって、光ファイバ固定部材６１１ｂａと光ファイバ固定部材６１１ｂｂとが、光ファイバ１１２を上下から挟み、押圧して固定する。これによって、光ファイバ保持部６１１は、光ファイバ１１２を固定して保持している。
【００７０】
また、固定剤６１４と光ファイバ１１２とが直接接触せず、離間している。この離間により、固定剤６１４は、光ファイバ１１２からの漏れ光の強度が強い光ファイバ１１２に近接した領域よりも光ファイバ１１２から離れた位置であり、漏れ光が通過しない外側固定領域に相当する領域に配置されている。これによって、漏れ光は固定剤６１４に照射されず、固定剤６１４が溶融または破損することはない。したがって、このような本変形例５に係る光ファイバ保持部６１１を用いた半導体レーザモジュールは、高出力動作時においてもより信頼性の高い半導体レーザモジュールである。
【００７１】
（変形例６）
図２６は、変形例６に係る光ファイバ保持部の模式的なｘ−ｙ断面図である。図２７は、変形例６に係る光ファイバ保持部の模式的なｘ−ｚ平面図である。図２６に示すように、本変形例６に係る光ファイバ保持部７１１は、３つの光ファイバ固定部材７１１ｂａ、７１１ｂｂ、７１１ｂｃからなる保持部材である光ファイバ固定部材７１１ｂと、固定剤７１４とからなる。また、図２７に示すように、光ファイバ固定部材７１１ｂａ上に、光ファイバ固定部材７１１ｂｂと、光ファイバ固定部材７１１ｂｃとが、光ファイバ１１２の導波方向に並んで配置されている。光ファイバ固定部材７１１ｂと固定剤７１４とは、それぞれ光ファイバ固定部材６１１ｂと固定剤６１４と同様の材料からなる。
【００７２】
この光ファイバ保持部７１１では、台座の機能も有している光ファイバ固定部材７１１ｂａが、パッケージ内に固定されている。そして、固定剤７１４が、光ファイバ固定部材７１１ｂａと、光ファイバ固定部材７１１ｂｂと、光ファイバ固定部材７１１ｂｂとを接着することによって、光ファイバ固定部材７１１ｂａと、光ファイバ固定部材７１１ｂｂと、光ファイバ固定部材７１１ｂｂとが、光ファイバ１１２を３方向から挟み、押圧して固定する。これによって、光ファイバ保持部７１１は、光ファイバ１１２を固定して保持する。このように、光ファイバ固定部材が３つ以上の部材からなる構成であってもよい。
【００７３】
固定剤７１４は、光ファイバ１１２と直接接触せず、離間しており、かつ光ファイバ１１２からの漏れ光が通過する領域よりも光ファイバ１１２から離れた位置で漏れ光が通過しない外側固定領域に相当する領域に配置されている。これによって、漏れ光が固定剤７１４に照射されず、固定剤７１４が溶融または破損することはない。したがって、このような本変形例６に係る光ファイバ保持部７１１を用いた半導体レーザモジュールは、高出力動作時においてもより信頼性の高い半導体レーザモジュールである。
【００７４】
（変形例７）
図２８は、変形例７に係る光ファイバ保持部の模式的なｘ−ｙ断面図である。図２８に示すように、本変形例７に係る光ファイバ保持部６１１Ａは、変形例５の光ファイバ保持部６１１において、光ファイバ固定部材６１１ｂを光ファイバ固定部材６１１Ａｂに置き換えたものである。光ファイバ固定部材６１１Ａｂは、光ファイバ固定部材６１１ｂにおいて台座の機能も有している光ファイバ固定部材６１１ｂａを光ファイバ固定部材６１１Ａｂａに置き換えたものである。光ファイバ固定部材６１１Ａｂａは、光ファイバ１１２が伸びている方向であるｚ方向に沿って伸びるＶ字型の光ファイバ固定溝Ｇ１を備える。
【００７５】
この光ファイバ保持部６１１Ａでは、光ファイバ保持部６１１と同様に、固定剤６１４による接着によって、光ファイバ固定部材６１１Ａｂａと光ファイバ固定部材６１１ｂｂとが光ファイバ１１２を挟み、押圧して固定する。さらにこの光ファイバ保持部６１１Ａでは、光ファイバ固定部材６１１Ａｂａが光ファイバ固定溝Ｇ１を備えることによって、光ファイバ１１２は、その一部が光ファイバ固定溝Ｇ１に収容され、ｘ方向にずれにくい構成とされている。これによって、光ファイバ保持部６１１Ａは、光ファイバ１１２を固定して保持する。
【００７６】
光ファイバ保持部６１１の場合と同様に、固定剤６１４は、光ファイバ１１２と直接接触せず、離間しており、かつ光ファイバ１１２からの漏れ光が通過する領域よりも光ファイバ１１２から離れた位置で漏れ光が通過しない外側固定領域に相当する領域に配置されている。これによって、漏れ光が固定剤６１４に照射されず、固定剤６１４が溶融または破損することはない。したがって、このような本変形例７に係る光ファイバ保持部６１１Ａを用いた半導体レーザモジュールは、高出力動作時においてもより信頼性の高い半導体レーザモジュールである。なお、光ファイバ固定溝Ｇ１は、光ファイバ１１２のｘ方向のずれを抑制する構成であればよく、Ｖ字型に限らず、例えば、半円、光ファイバ１１２の直径より幅の狭い溝等であってもよい。
【００７７】
（変形例８）
図２９は、変形例８に係る光ファイバ保持部の模式的なｘ−ｙ断面図である。図２９に示すように、本変形例８に係る光ファイバ保持部６１１Ｂは、変形例５の光ファイバ保持部６１１において、光ファイバ固定部材６１１ｂを光ファイバ固定部材６１１Ｂｂに置き換えたものである。光ファイバ固定部材６１１Ｂｂは、光ファイバ固定部材６１１ｂにおいて台座の機能も有している光ファイバ固定部材６１１ｂａを光ファイバ固定部材６１１Ｂｂａに置き換えたものである。光ファイバ固定部材６１１Ｂｂａは、光ファイバ１１２が伸びている方向であるｚ方向に沿って伸びるＶ字型の光ファイバ固定溝Ｇ１と、固定剤６１４の流れを留める流れ留め部である流れ留め溝Ｇ２とを備える。流れ留め溝Ｇ２は光ファイバ１１２と固定剤６１４との間に介在するように形成されている。
【００７８】
この光ファイバ保持部６１１Ｂでは、光ファイバ保持部６１１Ａと同様に、固定剤６１４による接着によって、光ファイバ固定部材６１１Ｂｂａと光ファイバ固定部材６１１ｂｂとが光ファイバ１１２を挟み、押圧して固定する。さらに光ファイバ１１２は、その一部が光ファイバ固定溝Ｇ１に収容され、ｘ方向にずれにくい構成とされている。これによって、光ファイバ保持部６１１Ｂは、光ファイバ１１２を固定して保持する。さらに、この光ファイバ保持部６１１Ｂでは、流れ留め溝Ｇ２が形成されていることによって、この光ファイバ保持部６１１Ｂの組み立て時において、例えば樹脂である固定剤６１４が、硬化する前に流れて光ファイバ１１２に接触することを防いでいる。さらに、流れ留め溝Ｇ２は、固定剤６１４が、硬化する前に漏れ光が通過する領域内に流入することを防いでいる。これによって、固定剤６１４を、光ファイバ１１２に直接接触させず、離間するように形成することがより確実にできる。これによって、漏れ光が固定剤６１４に照射されず、固定剤６１４が溶融または破損することはない。したがって、このような本変形例８に係る光ファイバ保持部６１１Ｂを用いた半導体レーザモジュールは、高出力動作時においてもより信頼性の高い半導体レーザモジュールである。なお、流れ留め部としての流れ留め溝Ｇ２は、固定剤６１４の流れを留めることができる構成であればよい。さらには、流れ留め部としては、溝に限らず、例えば、突起部や傾斜等であってもよい。
【００７９】
（変形例９）
図３０は、変形例９に係る光ファイバ保持部の模式的なｘ−ｙ断面図である。図３１は、変形例９に係る光ファイバ保持部の模式的なｘ−ｚ平面図である。図３０、３１に示すように、本変形例９に係る光ファイバ保持部８１１は、光ファイバ固定部材８１１ｂａ、８１１ｂｂからなる保持部材である光ファイバ固定部材８１１ｂと、固定剤８１４とからなる。光ファイバ固定部材８１１ｂと固定剤８１４とは、それぞれ光ファイバ固定部材６１１ｂと固定剤６１４と同様の材料からなる。
【００８０】
この光ファイバ保持部８１１では、台座の機能も有している光ファイバ固定部材８１１ｂａが、パッケージ内に固定されている。そして、Ｕ字形状の溝を有する光ファイバ固定部材８１１ｂｂが、光ファイバ固定部材８１１ｂａにはめ込まれ、固定剤８１４が、光ファイバ固定部材８１１ｂａと光ファイバ固定部材８１１ｂｂとを接着することによって、光ファイバ固定部材８１１ｂａと光ファイバ固定部材８１１ｂｂとが、光ファイバ１１２を挟み、押圧して固定する。ここで、光ファイバ固定部材８１１ｂｂが、光ファイバ１１２を覆うような形状をしていることにより、光ファイバ１１２は、ｘｙ方向の各方向へずれにくい構成とされている。これによって、光ファイバ保持部８１１は、光ファイバ１１２を固定して保持する。
【００８１】
固定剤８１４は、光ファイバ１１２と直接接触せず、離間しており、かつ光ファイバ１１２からの漏れ光が通過する領域よりも光ファイバ１１２から離れた位置で漏れ光が通過しない外側固定領域に相当する領域に配置されている。これによって、漏れ光が固定剤８１４に照射されず、固定剤８１４が溶融または破損することはない。したがって、このような本変形例９に係る光ファイバ保持部８１１を用いた半導体レーザモジュールは、高出力動作時においてもより信頼性の高い半導体レーザモジュールである。このように、光ファイバ固定部材は、光ファイバ１１２を固定する様々な形状とすることができる。
【００８２】
以上、説明したように、上記実施の形態によれば、高出力動作時においても信頼性の高い半導体レーザモジュールを提供することができる。
【００８３】
なお、上記実施の形態において、固定剤は樹脂に限らず、ネジやクリップ、テープ等、様々な固定方法による固定部であってよい。このような固定部であっても、漏れ光が照射されると、溶融や劣化による変形、熱膨張による変型、または、破損等によって、結合損失の増大が生じる可能性がある。そのため、本発明によって、固定部を内側固定領域と外側固定領域とを含む固定領域等に形成することで、高出力動作時においても信頼性の高い半導体レーザモジュールを実現することができる。
【００８４】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【産業上の利用可能性】
【００８５】
以上のように、本発明に係る半導体レーザモジュールは、主に高出力の半導体レーザモジュールに利用して好適なものである。
【符号の説明】
【００８６】
１００、１００Ａ、１００Ｂ  半導体レーザモジュール
１０１、１０１Ａ、４０１  パッケージ
１０１Ａａ  光ファイバ挿入口
１０２、１０２Ａ  高さ調整板
１０３、１０３−１〜１０３−６  サブマウント
１０４、１０４−１〜１０４−６  半導体レーザ素子
１０５  リードピン
１０６  第１レンズ
１０７  第２レンズ
１０８  フィルタ
１０９  第３レンズ
１１１、１１１Ａ、１１１Ｂ、２１１、３１１、４１１、６１１、６１１Ａ、６１１Ｂ、７１１、８１１  光ファイバ保持部
１１１ａ、１１１Ａａ、１１１Ａｂ１、１１１Ａｂ２、１１１Ｂａ  台座
１１１ｂ、１１１ｃ、２１１ｂ、３１１ｂ、４１１ｂ  フェルール
１１１ｃａ  フェルール本体
１１１ｃｂ  保護体
１１１Ｂａａ、ｇ１、ｇ２  溝
１１２  光ファイバ
１１２ａ  コア
１１２ｂ  クラッド
１１２ｃ    端部
１１３  挿入部固定剤
１１４ａ、１１４ｂ、１１４Ａｂ、１１４Ｂ、２１４ａ、２１４ｂ、３１４ａ、３１４ｂ、４１４ａ、４１４ｂ、６１４、７１４、８１４  固定剤
１５０−１〜１５０−６  ミラー
２１１ｂａ  曲面
６１１ｂ、６１１ｂａ、６１１ｂｂ、６１１Ａｂ、６１１Ａｂａ、６１１Ｂｂ、６１１Ｂｂａ、７１１ｂ、７１１ｂａ、７１１ｂｂ、７１１ｂｃ、８１１ｂ、８１１ｂａ、８１１ｂｂ  光ファイバ固定部材
Ａ  漏れ光
Ｇ１  光ファイバ固定溝
Ｇ２  流れ留め溝
Ｌ、Ｌ０、Ｌ１、Ｌ２、Ｌ３  レーザ光
Ｓ１  内側固定領域
Ｓ２  外側固定領域
Ｘ  中心軸
θ１  角度
θ２  角度
θｉｎ  角度
【図１】
2014192944.tif 000004
【図２】
2014192944.tif 000005
【図３】
2014192944.tif 000006
【図４】
2014192944.tif 000007
【図５】
2014192944.tif 000008
【図６】
2014192944.tif 000009
【図７】
2014192944.tif 000010
【図８】
2014192944.tif 000011
【図９】
2014192944.tif 000012
【図１０】
2014192944.tif 000013
【図１１】
2014192944.tif 000014
【図１２】
2014192944.tif 000015
【図１３】
2014192944.tif 000016
【図１４】
2014192944.tif 000017
【図１５Ａ】
2014192944.tif 000018
【図１５Ｂ】
2014192944.tif 000019
【図１５Ｃ】
2014192944.tif 000020
【図１５Ｄ】
2014192944.tif 000021
【図１６】
2014192944.tif 000022
【図１７】
2014192944.tif 000023
【図１８】
2014192944.tif 000024
【図１９】
2014192944.tif 000025
【図２０】
2014192944.tif 000026
【図２１】
2014192944.tif 000027
【図２２】
2014192944.tif 000028
【図２３】
2014192944.tif 000029
【図２４】
2014192944.tif 000030
【図２５】
2014192944.tif 000031
【図２６】
2014192944.tif 000032
【図２７】
2014192944.tif 000033
【図２８】
2014192944.tif 000034
【図２９】
2014192944.tif 000035
【図３０】
2014192944.tif 000036
【図３１】
2014192944.tif 000037
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
レーザ光を出射する半導体レーザ素子と、
前記半導体レーザ素子から出射されるレーザ光が入射し、該レーザ光を導波する光ファイバと、
前記光ファイバを固定するための固定剤を有し、前記光ファイバを保持する光ファイバ保持部と、
を備え、
前記固定剤は、前記光ファイバに入射した前記レーザ光のうち、入射された後に該光ファイバの外部に放出される漏れ光の強度が低い領域に設けられ、
前記半導体レーザ素子から出射されるレーザ光の出力は１０Ｗ以上であり、前記固定剤が設けられる領域における前記漏れ光の強度は、前記レーザ光と直交する面内において１３０Ｗ／ｍｍ２より小さく、
前記漏れ光の強度が低い領域は、前記光ファイバに入射する前記レーザ光のフィールドにおける最も直径が長くなる方向において、前記光ファイバの前記レーザ光入射側の端部の断面中心から、前記光ファイバの中心軸に対して１５°以上の角度を成す外側固定領域と、前記光ファイバへ入射する前記レーザ光の前記光ファイバの中心軸に対する入射角をθｉｎとしたとき、前記光ファイバの中心軸に対して−１．１５θｉｎ＋１２．５°以下の角度を成す内側固定領域とを含み、
前記固定剤は、前記外側固定領域および前記内側固定領域の少なくとも一方に設けられている
ことを特徴とする半導体レーザモジュール。
【請求項２】
前記光ファイバ保持部は、前記光ファイバの導波方向に沿って伸びる溝を有する台座を備え、前記光ファイバは前記固定剤により前記溝内に固定されていることを特徴とする請求項１に記載の半導体レーザモジュール。
【請求項３】
前記溝は、前記内側固定領域内に形成されていることを特徴とする請求項２に記載の半導体レーザモジュール。
【請求項４】
前記固定剤と前記光ファイバとが離間していることを特徴とする請求項１に記載の半導体レーザモジュール。
【請求項５】
レーザ光を出射する半導体レーザ素子と、
前記半導体レーザ素子から出射されるレーザ光が入射し、該レーザ光を導波する光ファイバと、
前記光ファイバを固定するための固定剤を有し、前記光ファイバを保持する光ファイバ保持部と、
を備え、
前記固定剤は、前記光ファイバに入射した前記レーザ光のうち、入射された後に該光ファイバの外部に放出される漏れ光の強度が低い領域に設けられ、
前記半導体レーザ素子から出射されるレーザ光の出力は１０Ｗ以上であり、前記固定剤が設けられる領域における前記漏れ光の強度は、前記レーザ光と直交する面内において１３０Ｗ／ｍｍ２より小さく、
前記光ファイバ保持部は、前記光ファイバを挿通して保持する保持部材を備え、
前記光ファイバと前記保持部材とは、前記固定剤で固定され、
前記漏れ光の強度が低い領域は、前記光ファイバに入射する前記レーザ光のフィールドにおける最も直径が長くなる方向において、前記光ファイバへ入射する前記レーザ光の前記光ファイバの中心軸に対する入射角をθｉｎとしたとき、前記光ファイバの前記レーザ光入射側の端部の断面中心から、前記光ファイバの中心軸に対して−１．１５θｉｎ＋１２．５°以下の角度を成す内側固定領域であり、
前記固定剤は、前記内側固定領域に設けられ、
前記保持部材の前記レーザ光入射側の端部は、前記光ファイバに入射する前記レーザ光のフィールドにおける最も直径が長くなる方向において、前記光ファイバの前記レーザ光入射側の端部の断面中心から、前記光ファイバの中心軸に対して−１．１５θｉｎ＋１２．５°より大きく、１５°未満の角度を成す漏れ光通過領域を通過する光を反射するように構成されている
ことを特徴とする半導体レーザモジュール。
【請求項６】
前記保持部材は、前記レーザ光入射側の端面が曲面、または、前記光ファイバの中心軸に対して傾斜する傾斜面となっていることを特徴とする請求項５に記載の半導体レーザモジュール。
【請求項７】
前記保持部材は、前記レーザ光の波長において、吸収率が３０％以下の材料からなることを特徴とする請求項５または６に記載の半導体レーザモジュール。
【請求項８】
前記保持部材は、金属、または、セラミックからなることを特徴とする請求項５〜７のいずれか１つに記載の半導体レーザモジュール。
【請求項９】
前記保持部材は、前記レーザ光入射側の端部に、前記レーザ光の波長において反射率が７０％以上の反射膜を備えることを特徴とする請求項５または６に記載の半導体レーザモジュール。
【請求項１０】
レーザ光を出射する半導体レーザ素子と、
前記半導体レーザ素子から出射されるレーザ光が入射し、該レーザ光を導波する光ファイバと、
前記光ファイバを固定するための固定剤を有し、前記光ファイバを保持する光ファイバ保持部と、
を備え、
前記固定剤は、前記光ファイバに入射した前記レーザ光のうち、入射された後に該光ファイバの外部に放出される漏れ光の強度が低い領域に設けられ、
前記光ファイバ保持部は、前記光ファイバを挿通して保持する保持部材と、前記保持部材が固定される台座と、を備え、
前記光ファイバと前記保持部材とは、前記固定剤で固定され、
前記漏れ光の強度が低い領域は、前記光ファイバに入射する前記レーザ光のフィールドにおける最も直径が長くなる方向において、前記光ファイバへ入射する前記レーザ光の前記光ファイバの中心軸に対する入射角をθｉｎとしたとき、前記光ファイバの前記レーザ光入射側の端部の断面中心から、光ファイバの中心軸に対して−１．１５θｉｎ＋１２．５°以下の角度を成す内側固定領域であり、
前記固定剤は、前記内側固定領域に設けられ、
前記保持部材は、前記光ファイバに入射する光のフィールドにおける最も直径が長くなる方向において、前記光ファイバの前記レーザ光入射側の端部の断面中心から、前記光ファイバの中心軸に対して−１．１５θｉｎ＋１２．５°より大きく、１５°未満の角度を成す漏れ光通過領域を通過する光を透過し、
前記保持部材と前記台座とは、前記漏れ光通過領域の光の通過経路を除く領域である前記漏れ光の強度が低い領域において前記固定剤で固定されている
ことを特徴とする半導体レーザモジュール。
【請求項１１】
前記半導体レーザ素子から出射されるレーザ光の出力は１０Ｗ以上であり、前記固定剤が設けられる領域における前記漏れ光の強度は、前記レーザ光と直交する面内において１３０Ｗ／ｍｍ２より小さいことを特徴とする請求項１０に記載の半導体レーザモジュール。
【請求項１２】
前記保持部材は、ガラスからなることを特徴とする請求項１０または１１に記載の半導体レーザモジュール。
【請求項１３】
前記固定剤は、有機接着剤、はんだ、低融点ガラス、無機接着剤のうち、いずれか１つからなることを特徴とする請求項１〜１２のいずれか１つに記載の半導体レーザモジュール。
【請求項１４】
前記光ファイバが、マルチモード光ファイバであることを特徴とする請求項１〜１３のいずれか１つに記載の半導体レーザモジュール。
【国際調査報告】
2014192944.tif 000038
2014192944.tif 000039
2014192944.tif 000040
2014192944.tif 000041
2014192944.tif 000042